(57)【要約】【課題】極力制約を受けることなく情報コードとデザインを一体的に表現でき、且つ特定種類の情報コードであると把握し易い構成を提供する。【解決手段】情報コード１００は、明色セルＣｗ及び暗色セルＣｂが配列されてなり且つ切り出しシンボルが１つである二次元コードＭＱ１〜ＭＱ３がこれら二次元コードよりもサイズの大きい矩形領域ＡＲ１内に配置され、各二次元コードＭＱ１〜ＭＱ３の切り出しシンボルＦｍ１〜Ｆｍ３が矩形領域ＡＲ１の各角部をなし、且つ各二次元コードＭＱ１〜ＭＱ３の明色セルＣｗ及び暗色セルＣｂが矩形領域ＡＲ１内に配列されている。そして、矩形領域ＡＲ１において二次元コードＭＱ１〜ＭＱ３が配置される領域以外の残余領域には、形状、模様、色彩又はこれらの結合からなるデザインの領域又は情報を記録した記録領域の少なくともいずれかが設けられている。【選択図】図１
2014071469.tif 000002
【特許請求の範囲】
【請求項１】
明色セル及び暗色セルが配列されてなり且つ切り出しシンボルが１つである二次元コードが当該二次元コードよりもサイズの大きい所定領域内に配置され、
前記二次元コードの前記切り出しシンボルが前記所定領域の第１の角部をなし、且つ当該二次元コードの前記明色セル及び前記暗色セルが前記所定領域内に配列され、
前記所定領域の第２の角部及び第３の角部には、それぞれ前記切り出しシンボルの図形が前記二次元コードとは異なる他の二次元コードの一部として、又は他の二次元コードの一部ではない図形として配置されており、
前記所定領域において前記二次元コードが配置される領域及び前記切り出しシンボルの図形が配置される領域以外の残余領域には、形状、模様、色彩又はこれらの結合からなるデザインの領域又は情報を記録した記録領域の少なくともいずれかが設けられていることを特徴とする情報コード。
【請求項２】
前記二次元コードとは異なる第２の二次元コードの前記切り出しシンボルが前記第２の角部をなし、
前記二次元コード及び前記第２の二次元コードとは異なる第３の二次元コードの前記切り出しシンボルが前記第３の角部の一部をなし、
前記所定領域において前記二次元コード、前記第２の二次元コード、及び前記第３の二次元コードが配置される領域以外の前記残余領域には、前記デザインの領域又は前記記録領域の少なくともいずれかが設けられていることを特徴とする請求項１に記載の情報コード。
【請求項３】
前記二次元コード、前記第２の二次元コード、及び前記第３の二次元コードには、これら３つのコードの順序を特定するための順序情報がそれぞれ記録されていることを特徴とする請求項２に記載の情報コード。
【請求項４】
前記所定領域において前記二次元コードが配置された領域及び前記切り出しシンボルの図形が配置された領域以外の前記残余領域には、前記明色セルの図形及び前記暗色セルの図形を配列したセル図形配列領域が設けられていることを特徴とする請求項１から請求項３のいずれか一項に記載の情報コード。
【請求項５】
前記残余領域には、明暗のセルをマトリックス状に配列してなる他の二次元コードが、前記所定領域における第４の角部をなすように配置されていることを特徴とする請求項１から請求項４のいずれか一項に記載の情報コード。
【請求項６】
所定方向に直線状に延びる第１直線状部及び当該第１直線状部に対し直交する方向に折れ曲がって延びる第２直線状部を有する特徴パターンを備えた二次元コードが当該二次元コードよりもサイズの大きい所定領域内に１又は複数配置され、
前記所定領域において、前記一の二次元コードの前記第１直線状部又は前記第２直線状部の前記いずれか一方を含んでなる直線状の第１パターンが、当該所定領域における所定方向の第１境界部に隣接して配置され、前記一の二次元コードの前記第１直線状部又は前記第２直線状部のいずれか他方、又は前記他の二次元コードの前記第１直線状部又は前記第２直線状部を含んでなる直線状の第２パターンが、当該所定領域における前記第１境界部と直交する方向の第２境界部に隣接して配置されており、
前記所定領域において前記二次元コードの配置領域、前記第１パターンの配置領域、及び前記第２パターンの配置領域以外の残余領域には、形状、模様、色彩又はこれらの結合からなるデザインの領域又は情報を記録した記録領域の少なくともいずれかが設けられていることを特徴とする情報コード。
【請求項７】
前記所定領域において、前記第１境界部に隣接した位置に複数の前記二次元コードの前記第１直線状部又は前記第２直線状部が並べられて前記第１パターンを構成しており、前記第２境界部に隣接した位置に複数の前記二次元コードの前記第１直線状部又は前記第２直線状部が並べられて前記第２パターンを構成していることを特徴とする請求項６に記載の情報コード。
【請求項８】
前記第１パターンは、複数の前記二次元コードの前記第１直線状部又は前記第２直線状部のみによって構成されており、
前記第２パターンは、複数の前記二次元コードの前記第１直線状部又は前記第２直線状部のみによって構成されていることを特徴とする請求項７に記載の情報コード。
【請求項９】
前記所定領域において前記残余領域には、前記明色セルの図形及び前記暗色セルの図形を配列したセル図形配列領域が設けられていることを特徴とする請求項７に記載の情報コード。
【請求項１０】
前記所定領域には、複数の前記二次元コードが配置され、各二次元コードには、これら複数の前記二次元コードの順序を特定するための順序情報がそれぞれ記録されていることを特徴とする請求項６から請求項９のいずれか一項に記載の情報コード。
【発明の詳細な説明】
【技術分野】
【０００１】
本発明は、情報コードに関するものである。
【背景技術】
【０００２】
現在、ＱＲコード（登録商標）などでは、コード内に絵や文字を配置する方法が用いられている。その具体例としては、例えば、矩形状のコード領域内にデザインを描画するための所定のデザイン領域を設け、そのデザイン領域では情報を記録せずにセルを絵柄的に配置するといった方法を用いている。なお、このようにデザインを組み込んだ情報コードの例としては例えば特許文献１のようなものが提供されている。
【先行技術文献】
【特許文献】
【０００３】
【特許文献１】特開２００７−２４１３２７公報
【発明の概要】
【発明が解決しようとする課題】
【０００４】
ところで、ＱＲコード等にデザインを組み込む場合の従来例では、例えばデザインを組み込んだ領域のデータが使えないことを前提とし、一般的な誤り訂正機能を利用してデータを復元ないし解読することで、記録データの取得を可能としている。しかしながら、この方法では、誤り訂正能力に頼らざるを得ず、デザインの配置や大きさに制約が大きいといった問題がある。また、特許文献１のようにセルを利用して描画する方法では、デザインがセルサイズやセル形状に依存するため、描画上の制約が大きく所望のデザインを組み込みにくいという問題もある。
【０００５】
このような問題を解消すべく発明者らが鋭意検討した結果、情報コードの外部にデザイン領域や情報領域を設けるべきとの着想に至った。しかしながら、単に情報コードの外部にデザイン等を配置しただけでは、情報コードとデザインとの一体性が損なわれてしまうという新たな問題が生じる。また、情報コードと外部のデザインを隣接させて配置し、極力一体感を持たせようとすると、その全体が特定の情報コードであると把握し難くなる虞もある。
【０００６】
本発明は、上述した課題を解決するためになされたものであり、極力制約を受けることなく情報コードとデザインを一体的に表現でき、且つ特定種類の情報コードであると把握し易い構成を提供することを目的とする。
【課題を解決するための手段】
【０００７】
第１の発明は、情報コードに係るものであり、
明色セル及び暗色セルが配列されてなり且つ切り出しシンボルが１つである二次元コードが当該二次元コードよりもサイズの大きい所定領域内に配置され、
前記二次元コードの前記切り出しシンボルが前記所定領域の第１の角部をなし、且つ当該二次元コードの前記明色セル及び前記暗色セルが前記所定領域内に配列され、
前記所定領域の第２の角部及び第３の角部には、それぞれ前記切り出しシンボルの図形が前記二次元コードとは異なる他の二次元コードの一部として、又は他の二次元コードの一部ではない図形として配置されており、
前記所定領域において前記二次元コードが配置される領域及び前記切り出しシンボルの図形が配置される領域以外の残余領域には、形状、模様、色彩又はこれらの結合からなるデザインの領域又は情報を記録した記録領域の少なくともいずれかが設けられていることを特徴とする。
【０００８】
第２の発明は、情報コードに係るものであり、
所定方向に直線状に延びる第１直線状部及び当該第１直線状部に対し直交する方向に折れ曲がって延びる第２直線状部を有する特徴パターンを備えた二次元コードが当該二次元コードよりもサイズの大きい所定領域内に１又は複数配置され、
前記所定領域において、前記一の二次元コードの前記第１直線状部又は前記第２直線状部の前記いずれか一方を含んでなる直線状の第１パターンが、当該所定領域における所定方向の第１境界部に隣接して配置され、前記一の二次元コードの前記第１直線状部又は前記第２直線状部のいずれか他方、又は前記他の二次元コードの前記第１直線状部又は前記第２直線状部を含んでなる直線状の第２パターンが、当該所定領域における前記第１境界部と直交する方向の第２境界部に隣接して配置されており、
前記所定領域において前記二次元コードの配置領域、前記第１パターンの配置領域、及び前記第２パターンの配置領域以外の残余領域には、形状、模様、色彩又はこれらの結合からなるデザインの領域又は情報を記録した記録領域の少なくともいずれかが設けられていることを特徴とする。
【発明の効果】
【０００９】
請求項１の発明では、明色セル及び暗色セルが配列されてなり且つ切り出しシンボルが１つである二次元コードが当該二次元コードよりもサイズの大きい所定領域内に配置され、二次元コードの切り出しシンボルが所定領域の第１の角部をなし、且つ当該二次元コードの明色セル及び暗色セルが所定領域内に配列されている。そして、所定領域の第２の角部及び第３の角部には、それぞれ切り出しシンボルの図形が前記二次元コードとは異なる他の二次元コードの一部として、又は他の二次元コードの一部ではない図形として配置されている。この構成によれば、所定領域内に少なくとも切り出しシンボルが３つあるデザインを構成することができ、この種の情報コード（即ち単一コード領域内の３つの角部に切り出しシンボルが配置される情報コード）を模した形で情報コードを構成することができる。
更に、所定領域において二次元コードが配置される領域及び切り出しシンボルの図形が配置される領域以外の残余領域には、形状、模様、色彩又はこれらの結合からなるデザインの領域又は情報を記録した記録領域の少なくともいずれかが設けられている。この構成によれば、一般の二次元コードの外部にデザイン領域や情報領域を設けることができるため、二次元コードの構成に関係なくデザインや情報を構成することができ、デザインや情報を表示する上での自由度が増す。一方、外観上は、所定領域内に３つの切り出しシンボルが配置され、その所定領域内にデザインや情報が記録されるような一体的な情報コードとして把握されるため、デザインとコードの一体感が損なわれることもない。
【００１０】
請求項２の発明では、前記二次元コードとは異なる第２の二次元コードの前記切り出しシンボルが前記第２の角部をなし、前記二次元コード及び前記第２の二次元コードとは異なる第３の二次元コードの前記切り出しシンボルが前記第３の角部の一部をなし、前記所定領域において前記二次元コード、前記第２の二次元コード、及び前記第３の二次元コードが配置される領域以外の前記残余領域には、前記デザインの領域又は前記記録領域の少なくともいずれかが設けられている。
この構成によれば、単一の切り出しシンボルを備えた３つの二次元コードをそれぞれの角部に配置して構成することができるため、所定領域内での情報の記録量が増す。
【００１１】
請求項３の発明では、前記二次元コード、前記第２の二次元コード、及び前記第３の二次元コードには、これら３つのコードの順序を特定するための順序情報がそれぞれ記録されている。
この構成によれば、各角部に配置される３つの二次元コードを決められた順序で連携性を持たせることができる。
【００１２】
請求項４の発明では、前記所定領域において前記二次元コードが配置された領域及び前記切り出しシンボルの図形が配置された領域以外の前記残余領域には、前記明色セルの図形及び前記暗色セルの図形を配列したセル図形配列領域が設けられている。
このように残余領域に明色セルや暗色セルの図形を配置すれば、所定領域がより一つの情報コードとして見えやすくなり、実際のコード領域と、デザイン領域や記録領域とのデザイン的な一体感が増す。
【００１３】
請求項５の発明では、前記残余領域には、明暗のセルをマトリックス状に配列してなる他の二次元コードが、前記所定領域における第４の角部をなすように配置されている。
このように第４の角部にも情報コードを配置すれば、記録できる情報量をより増やすことができ、所定領域全体がより単一の情報コードらしく見えることになる。
【００１４】
請求項６の発明では、所定方向に直線状に延びる第１直線状部及び当該第１直線状部に対し直交する方向に折れ曲がって延びる第２直線状部を有する特徴パターンを備えた二次元コードが当該二次元コードよりもサイズの大きい所定領域内に１又は複数配置され、その所定領域において、一の二次元コードの第１直線状部又は第２直線状部のいずれか一方を含んでなる直線状の第１パターンが、当該所定領域における所定方向の第１境界部に隣接して配置され、一の二次元コードの第１直線状部又は第２直線状部のいずれか他方、又は他の二次元コードの第１直線状部又は第２直線状部を含んでなる直線状の第２パターンが、当該所定領域における第１境界部と直交する方向の第２境界部に隣接して配置されている。
この構成によれば、隣接する２つの境界部に直線状のパターン（第１パターン及び第２パターン）が配されるように所定領域内のデザインを構成することができ、この種の情報コード（即ち単一コード領域内の隣接する２つの境界部に直線状のパターンが配置される情報コード）を模した形で情報コードを構成することができる。特に、それら第１パターン及び第２パターンの少なくとも一部は、第１直線状部及び第２直線状部を有する一般の二次元コードによって構成されるため、所定領域内においてデザインを担う役割を果たすように効率的に二次元コードを配置することができる。
更に、所定領域において二次元コードの配置領域、第１パターンの配置領域、及び第２パターンの配置領域以外の残余領域には、形状、模様、色彩又はこれらの結合からなるデザインの領域又は情報を記録した記録領域の少なくともいずれかが設けられている。
この構成によれば、一般の二次元コードの外部にデザイン領域や情報領域を設けることができるため、二次元コード内の構成とは関係なくデザインや情報を構成することができるため、デザインや情報を表示する上での自由度が増す。一方、外観上は、所定領域内の隣接する２つの境界部にそれぞれ直線状のパターンが配置され、その所定領域内にデザインや情報が記録されるような一体的な情報コードとして把握されるため、デザインとコードの一体感が損なわれることもない。
【００１５】
請求項７の発明では、前記所定領域において、前記第１境界部に隣接した位置に複数の前記二次元コードの前記第１直線状部又は前記第２直線状部が並べられて前記第１パターンを構成しており、前記第２境界部に隣接した位置に複数の前記二次元コードの前記第１直線状部又は前記第２直線状部が並べられて前記第２パターンを構成している。
このように、第１パターン及び第２パターンを、いずれも複数の二次元コードの第１直線状部又は第２直線状部によって構成するように多数の二次元コードを配置すれば、第１直線状部及び第２直線状部を有する一般の二次元コードをより効率的に配置した上で、データの記録領域を効果的に増やすことができる。
【００１６】
請求項８の発明では、前記第１パターンは、複数の前記二次元コードの前記第１直線状部又は前記第２直線状部のみによって構成されており、前記第２パターンは、複数の前記二次元コードの前記第１直線状部又は前記第２直線状部のみによって構成されている。
このように構成すると、第１パターンや第２パターンの一部を二次元コードとは関係ないダミー図形によって構成する場合に比べて二次元コードをより効率的に用いることができ、第１パターン、第２パターン、及び二次元コード以外の領域（デザイン領域や情報領域等）を設ける上で、スペース的なメリットが一層大きくなる。
【００１７】
請求項９の発明では、前記所定領域において前記残余領域には、前記明色セルの図形及び前記暗色セルの図形を配列したセル図形配列領域が設けられている。
このように残余領域に明色セルや暗色セルの図形を配置すれば、所定領域がより一つの情報コードとして見えやすくなり、実際のコード領域と、デザイン領域や記録領域とのデザイン的な一体感が増す。
【００１８】
請求項１０の発明では、前記所定領域には、複数の前記二次元コードが配置され、各二次元コードには、これら複数の前記二次元コードの順序を特定するための順序情報がそれぞれ記録されている。
この構成によれば、所定領域に配置される複数の二次元コードを決められた順序で連携性を持たせることができる。
【図面の簡単な説明】
【００１９】
【図１】図１は、本発明の第１実施形態に係る情報コードを概略的に例示する概略図である。
【図２】図２は、図１の情報コードのデータ構成を説明する説明図であり、図２（Ａ）は、データの分割方法を説明する説明図であり、図２（Ｂ）は、順序情報を説明する説明図である。
【図３】図３は、図１の情報コードを読み取る読取装置の電気的構成を例示するブロック図である。
【図４】図４は、図３の読取装置による読取処理の流れを例示するブロック図である。
【図５】図５は、第１実施形態の変形例１を示す概略図である。
【図６】図６は、第１実施形態の変形例２を示す概略図である。
【図７】図７は、第２実施形態に係る情報コードのコード配置を説明する説明図である。
【図８】図８は、第２実施形態に係る情報コードを概略的に例示する概略図である。
【図９】図９は、第２実施形態の変形例１を示す概略図である。
【発明を実施するための形態】
【００２０】
[第１実施形態]
以下、本発明を具現化した第１実施形態について、図面を参照して説明する。
以下では、図１〜図４等を参照し、情報コードとこの情報コードを読み取り可能な読取装置によって実現される情報コード読取システムの代表例を説明する。この情報コード読取システムは、図１、図２のような情報コード１００と図３、図４のような読取装置１によって構成されている。
【００２１】
（情報コードの構成）
情報コード１００は、明色セルＣｗ及び暗色セルＣｂが配列されてなり且つ切り出しシンボル（位置検出パターン）が１つである二次元コード（第１の二次元コードＭＱ１、第２の二次元コードＭＱ２、第３の二次元コードＭＱ３）がこれら二次元コードよりもサイズの大きい所定領域内（矩形領域ＡＲ１内）に配置されている。第１の二次元コードＭＱ１、第２の二次元コードＭＱ２、第３の二次元コードＭＱ３は、いずれも公知のマイクロＱＲコードとして構成されており、具体的には、例えば、ＪＩＳＸ０５１０：２００４の附属書１に規定されたマイクロＱＲコードとして構成されている。この第１の二次元コードＭＱ１、第２の二次元コードＭＱ２、第３の二次元コードＭＱ３の切り出しシンボル（位置検出パターン）Ｆｍ１〜Ｆｍ３は、中央部に３行３列の暗色セルの矩形領域が配され、その周囲を１セル幅の明色セル群によって矩形状且つ環状に囲んでいる。更に、その環状の明色セル群の周囲を１セル幅の暗色セル群によって矩形状且つ環状に囲んでいる。
【００２２】
そして、第１の二次元コードＭＱ１（第１の二次元コードＭＱ１は、「二次元コード」の一例に相当）の切り出しシンボルＦｍ１が矩形領域ＡＲ１の第１の角部（図１における左上の角部）をなし、且つ当該第１の二次元コードＭＱ１の明色セルＣｗ及び暗色セルＣｂが矩形領域ＡＲ１内に配列されている。なお、図１では、第１の二次元コードＭＱ１の領域を破線にて概念的に示している。
【００２３】
更に、第１の二次元コードＭＱ１とは異なる第２の二次元コードＭＱ２の切り出しシンボルＦｍ２が第２の角部（図１の右上の角部）をなし、且つ第２の二次元コードＭＱ２の明色セルＣｗ及び暗色セルＣｂが矩形領域ＡＲ１内に配列されている。なお、図１では、ＭＱ２の領域も破線にて概念的に示している。
【００２４】
更に、第１の二次元コードＭＱ１及び第２の二次元コードＭＱ２とは異なる第３の二次元コードＭＱ３の切り出しシンボルＦｍ３が第３の角部（図１の左下の角部）をなし、且つ第３の二次元コードＭＱ３の明色セルＣｗ及び暗色セルＣｂが矩形領域ＡＲ１内に配列されている。なお、図１では、ＭＱ３の領域も破線にて概念的に示している。なお、第１〜第３の二次元コードＭＱ１〜ＭＱ３は、明暗セルがマトリックス状に配置された領域（矩形状のセル配置領域）の周囲に少なくとも所定幅以上の明色のマージン領域が環状に配置された構成となっている。なお、各切り出しシンボル（位置検出パターン）Ｆｍ１〜Ｆｍ３は、データの内容に関係なく一定形状で配置される固定パターンである。
【００２５】
そして、矩形領域ＡＲ１において、第１の二次元コードＭＱ１（二次元コード）、第２の二次元コードＭＱ２、及び第３の二次元コードＭＱ４が配置される領域以外の残余領域には、デザインの領域又は情報を記録した記録領域の少なくともいずれかが設けられている。図１では、「ＡＢＣＤ」という事業主体の情報が、商標として記録領域Ｄ１に記録されており、この記録領域Ｄ１は、商標を表示するデザイン領域としても機能している。
【００２６】
第１の二次元コードＭＱ１、第２の二次元コードＭＱ２、第３の二次元コードＭＱ３に記録する情報は特に限定されるものではないが、例えば、図２（Ａ）のような情報を記録することができる。図２（Ａ）では、「ＡＢＣＤ」という事業主体（例えば企業名）のウェブ上のサイト（ホームページ）にアクセスするためのアドレス（ＵＲＬ）が記録されており、このアドレスの記号列を、３つに分割して第１の二次元コードＭＱ１、第２の二次元コードＭＱ２、第３の二次元コードＭＱ３にそれぞれ記録している。
【００２７】
そして、図２（Ｂ）に示すように、これら二次元コードに記録するデータのうちの最初の複数記号の情報（図２（Ｂ）の例では、「http//www」）は、第１の二次元コードＭＱ１(コード１)のデータとして、第１の二次元コードＭＱ１に記録するようになっており、「http//www」のデータと併せて、「http//www」の前に「１／３」というデータも記録される。この「１／３」のデータは、情報コード１００内に存在する二次元コードの数（総数）と、それら二次元コードの各データのうちの当該データの順序を特定するものである。この例では、情報コード１００内に３つの二次元コードが存在し、「１／３」と一緒に記録された「http//www」のデータが１番目の順序であることを特定している。
【００２８】
更に、図２（Ｂ）に示すように、最初の複数記号の情報（図２（Ｂ）の例では、「http//www」）に続く第２の複数記号の情報（図２（Ｂ）の例では、「.abc」）は、第２の二次元コードＭＱ２(コード２)のデータとして、第２の二次元コードＭＱ２に記録するようになっており、「.abc」のデータと併せて、「.abc」の前に「２／３」というデータも記録される。この「２／３」のデータも、情報コード１００内に存在する二次元コードの数と、その二次元コードの各データのうちの当該データの順序を特定するものであり、情報コード１００内に３つの二次元コードが存在し、「２／３」と一緒に記録された「.abc」のデータが２番目の順序であることを特定している。
【００２９】
更に、図２（Ｂ）に示すように、２番目の複数記号の情報（図２（Ｂ）の例では、「.abc」）に続く第３の複数記号の情報（図２（Ｂ）の例では、「d.co.jp/」）は、第３の二次元コードＭＱ３(コード３)のデータとして、第３の二次元コードＭＱ３に記録するようになっており、「d.co.jp/」のデータと併せて、「d.co.jp/」の前に「３／３」のというデータも記録される。この「３／３」のデータも、情報コード１００内に存在する二次元コードの数と、その二次元コードの各データのうちの当該データの順序を特定するものであり、情報コード１００内に３つの二次元コードが存在し、「３／３」と一緒に記録された「d.co.jp/」のデータが３番目の順序であることを特定している。
【００３０】
なお、各二次元コードＭＱ１〜ＭＱ３に記録された「１／３」「２／３」「３／３」のデータは、これら３つの二次元コードＭＱ１〜ＭＱ３の順序を特定するための「順序情報」に相当し、より詳しくは、二次元コードＭＱ１〜ＭＱ３に記録されたデータをどのような順序で配列して組み合わせるかを特定する情報として構成されている。
【００３１】
更に、第１の二次元コードＭＱ１、第２の二次元コードＭＱ２、第３の二次元コードＭＱ３及び記録領域Ｄ１（デザイン領域にも相当）が配置された領域以外の残余領域には、明色セルの図形Ｍｗ及び暗色セルの図形Ｍｂを配列したセル図形配列領域１０５が設けられている。このセル図形配列領域１０５のセル配列は、情報を有しない単なるデザインであってもよく、情報を有していてもよい（即ち、セル図形配列領域１０５の明暗セルによってデータが表現されていてもよい）。
【００３２】
（読取装置）
次に、情報コード読取装置の全体構成について説明する。図１に示すように、本実施形態に係る情報コード読取装置１は、一次元コードや二次元コードを読取可能なコードリーダとして構成されるものであり、図示しないケースによって外郭が構成され、このケース内に各種電子部品が収容された構成をなしている。
【００３３】
この情報コード読取装置１は、主に、照明光源２１、受光センサ２３、フィルタ２５、結像レンズ２７等の光学系と、メモリ３５、制御回路４０、操作スイッチ４２、液晶表示装置４６等のマイクロコンピュータ（以下「マイコン」という）系と、電源スイッチ４１、電池４９等の電源系と、から構成されている。なお、これらは、図略のプリント配線板に実装あるいはケース（図示略）内に内装されている。
【００３４】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２１が設けられており、ケースに形成された読取口（図示略）を介して読取対象物Ｒに向けて照明光Ｌｆを照射可能に構成されている。この読取対象物Ｒとしては、例えば、樹脂材料、金属材料等の様々な対象が考えられ、このような読取対象物Ｒに例えば図１のような情報コード１００が印刷、ダイレクトマーキングなどによって形成されている。
【００３５】
受光センサ２３は、読取対象物ＲやＱＲコードＱに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【００３６】
フィルタ２５は、反射光Ｌｒの波長相当以下の光の通過を許容し、当該波長相当を超える光の通過を遮断し得る光学的なローパスフィルタで、ケースに形成された読取口（図示略）と結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、ケースに形成された読取口（図示略）に入射する反射光Ｌｒを集光し、受光センサ２３の受光面２３ａに情報コード１００のコード画像を結像するように構成されている。
【００３７】
マイコン系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示装置４６、通信インタフェース４８等から構成されている。このマイコン系は、マイコン（情報処理装置）として機能し得る制御回路４０及びメモリ３５を中心として構成され、前述した光学系によって撮像された情報コード１００の画像信号をハードウェア的およびソフトウェア的に信号処理し得るものである。
【００３８】
光学系の受光センサ２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３９】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００４０】
制御回路４０は、情報コード読取装置１全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作スイッチ４２、ＬＥＤ４３、ブザー４４、液晶表示装置４６、通信インタフェース４８等が接続されている。また、通信インタフェース４８には、情報コード読取装置１の上位システムに相当するホストコンピュータＨＳＴなどを接続できるようになっている。
【００４１】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【００４２】
（読取処理）
次に、図３の読取装置による図１の情報コード１００の読取処理を説明する。
図４の読取処理は、例えばユーザによって所定操作（例えば、操作スイッチ４２の操作等）がなされたときに実行されるものであり、まず、図４のＳ１に示すように、連結読み取りを開始する。具体的には、まず情報コード１００の撮像し、当該情報コード１００の画像を取得する。そして、その情報コード１００に含まれるいずれかの二次元コード（図１の例では、二次元コードＭＱ１〜ＭＱ３のいずれか）を公知の方法で検出し、解読する。例えば、二次元コードＭＱ１〜ＭＱ３がマイクロＱＲコードであれば、切り出しシンボル（位置検出パターン）を公知の方法で検出し、これに隣接する２つのタイミングパターンを検出することで、コードの向き及び各セル位置を特定できる。
【００４３】
Ｓ１の後には、情報コード１００に含まれる全ての二次元コードを解読したか否かを判断する（Ｓ２）。図２に示すように、各二次元コードＭＱ１〜ＭＱ３には、情報コード１００に含まれる二次元コードの総数の情報（「１／３」「２／３」等の「３」の情報）が記録されているため、この総数を把握し、総数分だけ二次元コードを解読したか否かを判断することになる。まだ総数分だけ解読していない場合には、Ｓ２にてＮｏに進み、残りの二次元コードを検出して解読する。そして、情報コード１００に含まれる二次元コードが総数分だけ解読されるまでＳ２、Ｓ３の処理を繰り返し、総数分（図１の例では「３」）解読した場合には、Ｓ２にてＹｅｓに進み、情報コード１００内での二次元コードの検出処理を終了する（Ｓ４）。そして、取得した各二次元コードの記録情報（順序情報）に基づき、各二次元コードのデータを並び替え、表示部等に出力する。例えば、図２のようなデータであれば、「１／３」が付された「http//www」が１番目であり、「２／３」が付された「.abc」が２番目であり、「３／３」が付された「d.co.jp/」が３番目であることが特定できるため、これらを並び替えて「http//www .abc d.co.jp/」というデータが取得でき、これをＳ５にて出力する。
【００４４】
（第１実施形態の主な効果）
本構成では、明色セルＣｗ及び暗色セルＣｂが配列されてなり且つ切り出しシンボルが１つである第１の二次元コードＭＱ１(二次元コード)が当該二次元コードよりもサイズの大きい矩形領域ＡＲ１内に配置され、第１の二次元コードＭＱ１(二次元コード)の切り出しシンボルが矩形領域ＡＲ１の第１の角部をなし、且つ当該二次元コードの明色セルＣｗ及び暗色セルＣｂが矩形領域ＡＲ１内に配列されている。そして、矩形領域ＡＲ１の第２の角部及び第３の角部には、それぞれ切り出しシンボルの図形が他の二次元コード（第２の二次元コードＭＱ２，第３の二次元コードＭＱ３）の一部として配置されている。この構成によれば、矩形領域ＡＲ１内に少なくとも切り出しシンボルが３つあるデザインを構成することができ、この種の情報コード１００（即ち単一コード領域内の３つの角部に切り出しシンボルが配置される情報コード１００）を模した形で情報コード１００を構成することができる。例えば、図１の情報コード１００を見れば、あたかもＱＲコード（登録商標）のように見え、ユーザに特殊なコードとして認識させずに違和感なく情報コードを使用してもらえる。
【００４５】
更に、矩形領域ＡＲ１において第１の二次元コードＭＱ１(二次元コード)が配置される領域及び切り出しシンボルの図形が配置される領域以外の残余領域の一部には、形状、模様、色彩又はこれらの結合からなるデザインの領域又は情報を記録した記録領域の少なくともいずれかが設けられる。この構成によれば、一般の二次元コードの外部にデザイン領域や情報領域を設けることができるため、二次元コードの構成に関係なくデザインや情報を構成することができ、デザインや情報を表示する上での自由度が増す。一方、外観上は、矩形領域ＡＲ１内に３つの切り出しシンボルが配置され、その矩形領域ＡＲ１内にデザインや情報が記録されるような一体的な情報コード１００として把握されるため、デザインとコードの一体感が損なわれることもない。
【００４６】
また、第１の二次元コードＭＱ１(二次元コード)とは異なる第２の二次元コードＭＱ２の切り出しシンボルＦｍ２が第２の角部をなし、第１の二次元コードＭＱ１(二次元コード)及び第２の二次元コードＭＱ２とは異なる第３の二次元コードＭＱ３の切り出しシンボルＦｍ３が第３の角部の一部をなし、矩形領域ＡＲ１において第１の二次元コードＭＱ１(二次元コード)、第２の二次元コードＭＱ２、及び第３の二次元コードＭＱ３が配置される領域以外の残余領域には、デザインの領域又は記録領域の少なくともいずれかが設けられる。この構成によれば、単一の切り出しシンボルを備えた３つの二次元コードをそれぞれの角部に配置して構成することができるため、矩形領域ＡＲ１内での情報の記録量が増す。
【００４７】
また、第１の二次元コードＭＱ１（二次元コード）、第２の二次元コードＭＱ２、及び第３の二次元コードＭＱ３には、これら３つのコードの順序を特定するための順序情報がそれぞれ記録されている。この構成によれば、各角部に配置される３つの二次元コードを決められた順序で連携性を持たせることができる。
【００４８】
また、矩形領域ＡＲ１において第１の二次元コードＭＱ１(二次元コード)が配置された領域及び切り出しシンボルの図形が配置された領域以外の残余領域には、明色セルの図形Ｍｗ及び暗色セルの図形Ｍｂを配列したセル図形配列領域１０５が設けられている。このように残余領域に明色セルや暗色セルの図形Ｍｂ、Ｍｗを配置すれば、矩形領域ＡＲ１がより一つの情報コード１００として見えやすくなり、実際のコード領域と、デザイン領域や記録領域とのデザイン的な一体感が増す。
【００４９】
[第１実施形態の変形例１]
図５の例は、図１のセル図形配列領域１０５の一部を第４の二次元コードＩＱとした例を示し、それ以外は図１等に示す第１実施形態と同様の構成となっている。この例では、第１〜第３の二次元コードＭＱ１〜ＭＱ３が配置された領域以外の残余領域に、明暗のセルをマトリックス状に配列してなる第４の二次元コードＩＱ（他の二次元コード）が、矩形領域ＡＲ１における第４の角部をなすように配置されている。このように第４の角部にも情報コード１００を配置すれば、記録できる情報量をより増やすことができ、矩形領域ＡＲ１全体がより単一の情報コード１００らしく見えることになる。なお、第４の二次元コードＩＱは、例えば、特開２００９−２５９１９２等で開示されるような種類の二次元コードが配置されている。この例では、第１〜第３の二次元コードＭＱ１〜ＭＱ３のセルサイズと、第４の二次元コードＩＱのセルサイズはほぼ同じになっており、４つの二次元コードの各配列（行数及び列数）は例えば同一とすることができる。
【００５０】
[第１実施形態の変形例２]
図６の例は、図１のセル図形配列領域１０５の一部を第４の二次元コードＭＱ４とした例を示し、それ以外は図１等に示す第１実施形態と同様の構成となっている。この例では、第１〜第３の二次元コードＭＱ１〜ＭＱ３が配置された領域以外の残余領域に、明暗のセルをマトリックス状に配列してなる第４の二次元コードＭＱ４（他の二次元コード）が、矩形領域ＡＲ１における第４の角部をなすように配置されている。この二次元コードＭＱ４は、第１〜第３の二次元コードＭＱ１〜ＭＱ３と同様のマイクロＱＲコードとして構成され、切り出しシンボル（位置検出パターン）Ｆｍ４が第４の角部をなすように配置されている。この場合でも、記録できる情報量をより増やすことができ、矩形領域ＡＲ１全体がより単一の情報コード１００らしく見えることになる。
【００５１】
[第２実施形態]
次に、本発明の第２実施形態について説明する。
図７に示すように、第２実施形態に係る情報コード２００は、所定方向に直線状に延びる第１直線状部２１１及び当該第１直線状部２１１に対し直交する方向に折れ曲がって延びる第２直線状部２１２を有する特徴パターンを備えた二次元コードが当該二次元コードよりもサイズの大きい所定領域ＡＲ２内に１又は複数配置されてなるものである。図７の例では、公知のデータマトリックスコードとして構成される二次元コードＤｍ１〜Ｄｍ３が所定領域ＡＲ２の境界部に隣接して配置されており、各二次元コードＤｍ１〜Ｄｍ３では、第１直線状部２１１及び第２直線状部２１２によってＬ字状のアライメントパターンが構成されている。なお、図７等の例の各二次元コードＤｍ１〜Ｄｍ３は、明色セルと暗色セルがマトリックス状に配置された矩形状のセル配置領域の周囲に所定幅のマージン領域が環状に囲むように配置されている。
【００５２】
具体的には、第１の二次元コード（一の二次元コード）Ｄｍ１の第１直線状部２１１を含んでなる直線状の第１パターン２０１が、当該所定領域ＡＲ２における所定方向の第１境界部に隣接して配置され、所定領域ＡＲ２（矩形領域）の一辺のほぼ全体に亘るように（具体的には僅かな隙間を有しつつも角部から角部に亘るように）配置されている。また、第２の二次元コード（他の二次元コード）Ｄｍ２、第３の二次元コード（他の二次元コード）Ｄｍ３の第２直線状部２１２をそれぞれ含んでなる直線状の第２パターン２０２が、当該所定領域ＡＲ２における第１境界部と直交する方向の第２境界部に隣接して配置され、所定領域ＡＲ２（矩形領域）の一辺のほぼ全体に亘るように（具体的には僅かな隙間を有しつつも角部から角部に亘るように）配置されている。
【００５３】
なお、第１パターン２０１は、直線状に構成されていればよく、明色部分を含まない連続的な直線パターンであってもよく、一部が明色部分で分断された直線状のパターン（複数の直線パターンが小さな間隔をあけてその直線方向に隣接した構成）であってもよい。具体的には、二次元コードＤｍ１の第１直線状部２１１と直線状の暗色パターンＢ１と二次元コードＤｍ２の第１直線状部２１１によって第１パターン２０１が構成されている。また、二次元コードＤｍ２の第２直線状部２１２と直線状の暗色パターンＢ２と二次元コードＤｍ３の第２直線状部２１２によって第２パターン２０２が構成されている。
【００５４】
そして、所定領域ＡＲ２において二次元コードＤｍ１〜Ｄｍ３の配置領域、第１パターン２０１の配置領域、及び第２パターン２０２の配置領域以外の残余領域には、形状、模様、色彩又はこれらの結合からなるデザインの領域又は情報を記録した記録領域の少なくともいずれかが設けられる。なお、図７の例では、デザイン領域や記録領域を省略しているが、残余領域には様々なデザイン、情報、セルパターン等を配置することができる。また、図８の具体例では、富士山の絵柄及び富士山の英語表記が示された領域が設けられ、当該領域は、デザイン領域及び記録領域に相当している。この例では、二次元コードＤｍ１の第１直線状部２１１と直線状の暗色パターンＢ１と二次元コードＤｍ２の第１直線状部２１１によって第１パターン２０１が構成されている。また、二次元コードＤｍ２の第２直線状部２１２と二次元コードＤｍ３の第２直線状部２１２によって第２パターン２０２が構成されている。
【００５５】
図９の例では、所定領域ＡＲ２において二次元コードＤｍ１〜Ｄｍ３の配置領域、第１パターン２０１の配置領域、及び第２パターン２０２の配置領域以外の残余領域には、図７と同様の領域Ｄ２（デザイン領域、記録領域）に加え、明色セルの図形Ｍｗ及び所定領域ＡＲ２暗色セルの図形Ｍｂを配列したセル図形配列領域２０５が設けられている。このセル図形配列領域２０５も、第１実施形態のセル図形配列領域１０５と同様の構成、機能を有している。この例では、二次元コードＤｍ１の第１直線状部２１１と直線状の暗色パターンＢ１と二次元コードＤｍ２の第１直線状部２１１によって第１パターン２０１が構成されている。また、二次元コードＤｍ２の第２直線状部２１２と二次元コードＤｍ３の第２直線状部２１２と直線状の暗色パターンＢ２とによって第２パターン２０２が構成されている。
【００５６】
また、本実施形態の情報コード２００でも、第１〜第３の二次元コードＤｍ１〜Ｄｍ３において、図２と同様の情報が記録されており、各二次元コードＤｍ１〜Ｄｍ３の順序を特定するための順序情報がそれぞれの二次元コードに記録されている。
【００５７】
（本構成の主な効果）
本構成では、所定方向に直線状に延びる第１直線状部２１１及び当該第１直線状部２１１に対し直交する方向に折れ曲がって延びる第２直線状部２１２を有する特徴パターンを備えた二次元コードが当該二次元コードよりもサイズの大きい所定領域ＡＲ２内に１又は複数配置され、その所定領域ＡＲ２において、一の二次元コードの第１直線状部２１１を含んでなる直線状の第１パターン２０１が、当該所定領域ＡＲ２における所定方向の第１境界部に隣接して配置され、他の二次元コードの第２直線状部２１２を含んでなる直線状の第２パターン２０２が、当該所定領域ＡＲ２における第１境界部と直交する方向の第２境界部に隣接して配置されている。
この構成によれば、隣接する２つの境界部に直線状のパターン（第１パターン２０１及び第２パターン２０２）が配されるように所定領域ＡＲ２内のデザインを構成することができ、この種の情報コード２００（即ち単一コード領域内の隣接する２つの境界部に直線状のパターンが配置される情報コード２００）を模した形で情報コード２００を構成することができる。例えば、図７〜図９等の情報コード２００を見れば、あたかも全体がデータマトリックスコートのように見え、ユーザに特殊なコードとして認識させずに違和感なく情報コードを使用してもらえる。特に、それら第１パターン２０１及び第２パターン２０２の少なくとも一部は、第１直線状部２１１及び第２直線状部２１２を有する一般の二次元コードによって構成されるため、所定領域ＡＲ２内においてデザインを担う役割を果たすように効率的に二次元コードを配置することができる。
【００５８】
更に、所定領域ＡＲ２において二次元コードの配置領域、第１パターン２０１の配置領域、及び第２パターン２０２の配置領域以外の残余領域には、形状、模様、色彩又はこれらの結合からなるデザインの領域又は情報を記録した記録領域の少なくともいずれかが設けられている。
この構成によれば、一般の二次元コードの外部にデザイン領域や情報領域を設けることができるため、二次元コード内の構成とは関係なくデザインや情報を構成することができるため、デザインや情報を表示する上での自由度が増す。一方、外観上は、所定領域ＡＲ２内の隣接する２つの境界部にそれぞれ直線状のパターンが配置され、その所定領域ＡＲ２内にデザインや情報が記録されるような一体的な情報コード２００として把握されるため、デザインとコードの一体感が損なわれることもない。
【００５９】
また、図９の例では、所定領域ＡＲ２において残余領域（二次元コードの配置領域、第１パターン２０１の配置領域、及び第２パターン２０２の配置領域以外の領域）には、明色セルの図形Ｍｗ及び暗色セルの図形Ｍｂを配列したセル図形配列領域２０５が設けられている。このように残余領域に明色セルや暗色セルの図形Ｍｂ、Ｍｗを配置すれば、所定領域ＡＲ２がより一つの情報コード２００として見えやすくなり、実際のコード領域と、デザイン領域や記録領域とのデザイン的な一体感が増す。
【００６０】
また、所定領域ＡＲ２には、複数の二次元コードＤｍ１〜Ｄｍ３が配置され、各二次元コードには、これら複数の二次元コードＤｍ１〜Ｄｍ３の順序を特定するための順序情報がそれぞれ記録されている。この構成によれば、所定領域ＡＲ２に配置される複数の二次元コードを決められた順序で連携性を持たせることができる。
【００６１】
なお、第２実施形態の情報コード２００も第１実施形態で説明した情報コード読取装置１（図３参照）により、第１実施形態と同様の方法（図４参照）で解読することができる。
【００６２】
［他の実施形態]
本発明は上記記述及び図面によって説明した実施形態に限定されるものではなく、例えば次のような実施形態も本発明の技術的範囲に含まれる。
【００６３】
第１実施形態では、二次元コード、第２の二次元コード、第３の二次元コードの例として、マイクロＱＲコードを例に挙げて説明したが、切り出しシンボルが１つである情報コードであれば、これに限られない。例えば、中央部に矩形状の暗色セル領域を有し、その周囲に環状且つ矩形状の明色セル領域を有し、その周囲に環状且つ矩形状の暗色セル領域を有するような特定パターンを角部付近に１つ備え、残余の領域に明色セル及び暗色セルが配列されてなる二次元コードであれば、図１の例と同様に適用できる。
【００６４】
上記実施形態では、３つの角部に全て二次元コードが配置された例を示したが、矩形領域ＡＲ１の少なくとも１つの角部に同様の二次元コードが配置されていればよく、それ以外の第２の角部及び第３の角部のいずれか又は両方には、切り出しシンボルの図形（他の二次元コードの一部としてではなく、図形のみ）が配置されていてもよい。この場合でも、矩形領域ＡＲ１において二次元コードが配置される領域及び切り出しシンボルの図形が配置される領域以外の残余領域には、形状、模様、色彩又はこれらの結合からなるデザインの領域又は情報を記録した記録領域の少なくともいずれかが設けられていればよい。
【００６５】
上記実施形態では、記録領域及びデザイン領域の一例を示したが、構成はこれに限られない。例えば、情報を有さない絵柄等が描画されたデザイン領域であってもよく、デザイン性の無い情報を表示するような情報領域であってもよい。また、情報領域として表示する場合、その情報の種別は限られず、例えば、情報コードの記録内容に関する店舗名や事業体名、商品名、役務名などを情報として表示してもよい。また、デザイン領域として構成する場合も、情報コードの記録内容に関する絵柄（例えば、情報コードの記録内容によって特定される店舗、事業体、商品、役務などに関する絵柄）を表示してもよく、記録内容と関係のない絵柄を表示してもよい。
【００６６】
第２実施形態では、所定領域ＡＲ２において、第１境界部に隣接した位置に１つの二次元コードＤｍ１が配置されていたが、第１境界部にも複数の二次元コードを配置し、それら二次元コードの第１直線状部２１１又は第２直線状部２１２が並べられて第１パターン２０１を構成するようにしてもよい。このように、第１パターン２０１及び第２パターン２０２を、いずれも複数の二次元コードの第１直線状部２１１又は第２直線状部２１２によって構成するように多数の二次元コードを配置すれば、第１直線状部２１１及び第２直線状部２１２を有する一般の二次元コードをより効率的に配置した上で、データの記録領域Ｄ１を効果的に増やすことができる。
【００６７】
第２実施形態の例を変更し、第１パターン２０１及び第２パターン２０２のいずれもが、複数の二次元コードの第１直線状部２１１又は第２直線状部２１２のみによって構成されるようにしてもよい。このように構成すると、第１パターン２０１や第２パターン２０２の一部を二次元コードとは関係ないダミー図形によって構成する場合に比べて二次元コードをより効率的に用いることができ、第１パターン２０１、第２パターン２０２、及び二次元コード以外の領域（デザイン領域や情報領域等）を設ける上で、スペース的なメリットが一層大きくなる。例えば、矩形領域ＡＲ２の第１境界部の全体的に隣接するように複数の二次元コードを並べ、第２境界部に全体的に隣接するように複数の二次元コードを並べるようにしてもよい。
【００６８】
上記実施形態では、第１の二次元コードＤｍ１を「一の二次元コード」として把握したが、第２の二次元コードＤｍ２を「一の二次元コード」として把握してもよい。この場合、一の二次元コードの第１直線状部２１１又は第２直線状部２１２のいずれか一方を含んでなる直線状の第１パターン２０１が、矩形領域ＡＲ２における所定方向の第１境界部に隣接して配置され、一の二次元コードの第１直線状部２１１又は第２直線状部２１２のいずれか他方を含んでなる直線状の第２パターン２０２が第２境界部に隣接して配置されることになる。
【符号の説明】
【００６９】
１…読取装置
１００，２００…情報コード
１０５，２０５…セル図形配列領域
２０１…第１パターン
２０２…第２パターン
２１１…第１直線状部
２１２…第２直線状部
ＡＲ１，ＡＲ２…矩形領域（所定領域）
ＭＱ１…第１の二次元コード
ＭＱ２…第２の二次元コード
ＭＱ３…第３の二次元コード
ＭＱ４…第４の二次元コード（他の二次元コード）
ＩＱ…第４の二次元コード（他の二次元コード）
Ｄｍ１〜Ｄｍ３…二次元コード
ＦＭ１，ＦＭ２，ＦＭ３…切り出しシンボル
Ｃｂ…暗色セル
Ｃｗ…明色セル
Ｍｂ…暗色セルの図形
Ｍｗ…明色セルの図形
Ｄ１…記録領域（デザイン領域）
【図１】
2014071469.tif 000003
【図２】
2014071469.tif 000004
【図３】
2014071469.tif 000005
【図４】
2014071469.tif 000006
【図５】
2014071469.tif 000007
【図６】
2014071469.tif 000008
【図７】
2014071469.tif 000009
【図８】
2014071469.tif 000010
【図９】
2014071469.tif 000011